(57)【特許請求の範囲】
【請求項１】
ミリメートル波ワイヤレス通信システムにおけるワイヤレス通信のための方法であって、
前記ミリメートル波ワイヤレス通信システムの第1の基地局が、前記ミリメートル波ワイヤレス通信システムの第2の基地局により送信される同期信号に各々が関連付けられたタイミングパラメータおよび伝搬パラメータを決定するステップと、
前記ミリメートル波ワイヤレス通信システムの前記第1の基地局が、前記第1の基地局による送信のためにスケジュールされた同期送信期間中に、前記同期信号を検出するステップであって、前記同期送信期間では、前記第1の基地局は前記検出を行うために同期信号を送信することを控え、前記同期送信期間は、前記タイミングパラメータまたは前記伝搬パラメータに少なくとも部分的に基づき決定される、検出するステップと、
前記ミリメートル波ワイヤレス通信システムの前記第1の基地局が、前記タイミングパラメータおよび前記伝搬パラメータに少なくとも部分的に基づいて前記第2の基地局と発見手順を実行するステップであって、前記発見手順の少なくとも一部分が、前記ミリメートル波ワイヤレス通信システムを介してワイヤレスに実行される、実行するステップと、
前記ミリメートル波ワイヤレス通信システムの前記第1の基地局が、前記発見手順に少なくとも部分的に基づいて、前記第2の基地局とのバックホール通信リンクを確立するステップと
を含む、方法。
【請求項２】
前記第1の基地局および前記第2の基地局に対する接続を有するネットワークエンティティを識別するステップと、
前記タイミングパラメータ、もしくは前記伝搬パラメータのうちの少なくとも1つ、またはそれらの組合せを示す情報を前記ネットワークエンティティから受信するステップと
をさらに含む、請求項1に記載の方法。
【請求項３】
前記第2の基地局との前記バックホール通信リンクを確立するための要求を示す情報を前記ネットワークエンティティに送信するステップ
をさらに含む、請求項2に記載の方法。
【請求項４】
前記ネットワークエンティティが、前記ミリメートル波ワイヤレス通信システムの第3の基地局に関連付けられたワイヤレス通信リンクを介して前記第1の基地局および前記第2の基地局に接続される、請求項2に記載の方法。
【請求項５】
前記タイミングパラメータまたは前記伝搬パラメータのうちの少なくとも1つを示す、前記ネットワークエンティティから受信された前記情報が、前記第1の基地局または前記第2の基地局の前のバックホール通信リンク、もしくは前記第1の基地局または前記第2の基地局を介した通信に関連付けられた、1つまたは複数のユーザ機器(UE)から受信されたメッセージ、またはそれらの組合せに少なくとも部分的に基づく、請求項2に記載の方法。
【請求項６】
前記同期送信期間中に前記第1の基地局が、前記第2の基地局によって送信された同期信号を監視するステップと
をさらに含む、請求項1に記載の方法。
【請求項７】
前記第2の基地局が前記同期信号を送信したと決定すると、前記送信された同期信号に少なくとも部分的に基づいて前記発見手順を開始するステップ
をさらに含む、請求項6に記載の方法。
【請求項８】
前記第1の基地局が、前記同期送信期間中に前記同期信号の送信を控えて、前記第2の基地局からの前記同期信号の送信を監視することに関連付けられた所定の周期性を決定するステップ、
をさらに含む、請求項6に記載の方法。
【請求項９】
前記第1の基地局が、少なくとも1つのユーザ機器(UE)が前記第1の基地局および前記第2の基地局と通信中であると決定するステップと、
前記第2の基地局に関連付けられた前記タイミングパラメータまたは前記伝搬パラメータのうちの少なくとも1つを決定するための1つまたは複数のメッセージを前記少なくとも1つのUEを通じて前記第2の基地局に中継するステップと
をさらに含む、請求項1に記載の方法。
【請求項１０】
前記第2の基地局に関連付けられた情報を含む1つまたは複数のメッセージを前記UEから受信するステップと、
前記UEから受信された前記1つまたは複数のメッセージに少なくとも部分的に基づいて前記発見手順を実行することを決定するステップと
をさらに含む、請求項9に記載の方法。
【請求項１１】
前記少なくとも1つのUEが、前記ミリメートル波ワイヤレス通信システムのワイヤレス通信リンクを介して前記第1の基地局および前記第2の基地局と通信中である、請求項9に記載の方法。
【請求項１２】
前記バックホール通信リンクが、前記ミリメートル波ワイヤレス通信システムを介して確立されたワイヤレスバックホール通信リンクである、請求項11に記載の方法。
【請求項１３】
ミリメートル波ワイヤレス通信システムの第1の基地局であって、
前記ミリメートル波ワイヤレス通信システムの前記第1の基地局が、前記ミリメートル波ワイヤレス通信システムの第2の基地局により送信される同期信号に各々が関連付けられたタイミングパラメータおよび伝搬パラメータを決定するための手段と、
前記ミリメートル波ワイヤレス通信システムの前記第1の基地局が、前記第1の基地局による送信のためにスケジュールされた同期送信期間中に、前記同期信号を検出するための手段であって、前記同期送信期間では、前記第1の基地局は前記検出を行うために同期信号を送信することを控え、前記同期送信期間は、前記タイミングパラメータまたは前記伝搬パラメータに少なくとも部分的に基づき決定される、決定するための手段と、
前記ミリメートル波ワイヤレス通信システムの前記第1の基地局が、前記タイミングパラメータおよび前記伝搬パラメータに少なくとも部分的に基づいて前記第2の基地局と発見手順を実行するための手段であって、前記発見手順の少なくとも一部分が、前記ミリメートル波ワイヤレス通信システムを介してワイヤレスに実行される、実行するための手段と、
前記ミリメートル波ワイヤレス通信システムの前記第1の基地局が、前記発見手順に少なくとも部分的に基づいて、前記第2の基地局とのバックホール通信リンクを確立するための手段と
を含む、第1の基地局。
【請求項１４】
処理手段およびメモリ手段をさらに含み、請求項１から12のいずれか一項に記載の方法を実行するように適合された、請求項13に記載の第1の基地局。
【請求項１５】
コンピューティングデバイスの処理手段によって実行されたときに、請求項1から12のいずれか一項に記載の方法を実行するための命令を含む、コンピュータプログラム。
【発明の詳細な説明】
【技術分野】
【０００１】
相互参照
本特許出願は、各々が本出願の譲受人に譲渡される、出願された「Methods for Backhaul Operations in Millimeter Wave Networks」と題する、Islamらによる米国特許出願第14/842,679号、および2015年3月11日に出願された「Methods for Backhaul Operations in Millimeter Wave Networks」と題する、Islamらによる米国仮特許出願第62/131,787号の優先権を主張するものである。
【０００２】
本開示は、たとえば、ワイヤレス通信システムに関し、より詳細には、ミリメートル波ワイヤレス通信システムにおけるバックホール動作に関する。
【背景技術】
【０００３】
ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース(たとえば、時間、周波数、および電力)を共有することによって、複数のユーザとの通信をサポートできる多元接続システムであってもよい。そのような多元接続システムの例には、符号分割多元接続(CDMA)システム、時分割多元接続(TDMA)システム、周波数分割多元接続(FDMA)システム、および直交周波数分割多元接続(OFDMA)システムがある。
【０００４】
例として、ワイヤレス多元接続通信システムは、ユーザ機器(UE)としても知られている複数の通信デバイスのための通信を各々が同時にサポートする、いくつかの基地局を含むことができる。基地局は、ダウンリンクチャネル(たとえば、基地局からUEへの送信用)およびアップリンクチャネル(たとえば、UEから基地局への送信用)上でUEと通信することができる。基地局は、バックホールリンクを介して他の基地局と直接的にまたは間接的に、のいずれかで通信することができる。
【０００５】
従来の通信システムにおいて、基地局は、一般に、本発見の態様およびバックホール通信を協調させるネットワークエンティティに対するロバストなリンクを享受し、たとえば、ネットワークエンティティは、近隣基地局が発見およびバックホール送信を協調させるためのタイミング情報、セル識別子などを提供する。ミリメートル波(mmW)周波数範囲内、たとえば、28GHz、40GHz、60GHzなどで動作している基地局を、許容可能なカバレージエリアを提供するために、より多くの基地局を配備させる可能性がある低減されたカバレージエリア(たとえば、より小さな地理的占有面積、指向性送信専用など)に関連付けることができる。そのような大規模mmW基地局配備は、ネットワークエンティティに対するリンクの品質および可用性に影響を及ぼし得る。たとえば、いくつかのmmW基地局は、ネットワークエンティティに対して限定された帯域幅リンクを有する、また、いくつかの例では、ネットワークエンティティに対するリンクを有さないエリア内に展開される場合がある。従来のセルラー通信システムでは、基地局は、ネットワークエンティティに対する有線接続に依存する場合があり、したがって、一般に、ワイヤレス媒体を介した発見を実行することができない。ネットワークエンティティに対して限定的なリンクを有するか、または何のリンクも有さない、そのようなmmW基地局は、バックホール動作を実行するために、他のmmW基地局を発見することが可能であることが依然として必要である。その上、そのようなワイヤレス発見動作は、密集したmmW基地局集団に対してより有益な配備方式を提供すること、たとえば、各mmW基地局に光ファイバー通信リンクを設置するために、より低コストかつより実現可能なオプションを提供することができる。
【発明の概要】
【課題を解決するための手段】
【０００６】
説明する特徴は、一般に、mmWワイヤレス通信システムにおけるバックホール動作のための、1つまたは複数の改善されたシステム、方法、および/または装置に関する。本説明のいくつかの態様は、mmW基地局が、発見手順を実行するために、別のmmW基地局に関連付けられた特定のパラメータを決定するための様々な手法を採用する。たとえば、第1のmmW基地局は、タイミング、伝搬などに関連付けられた、第2のmmW基地局に関するパラメータ、たとえば、第2のmmW基地局に関する通信パラメータの第1のセットにアクセスすること、それを識別すること、またはさもなければ、それを決定することができる。通信パラメータの第1のセットは、第1のmmW基地局が第2のmmW基地局と発見手順を開始することを許可するために、第2の基地局に関連付けられた十分な量の情報を含み得る。発見手順、またはその少なくとも一部分は、mmWワイヤレス通信システムを介して実行され得る。
【０００７】
いくつかの態様では、第1のmmW基地局は、ブラインド検出モードを使用して、ネットワークアシスト型モードを使用して、UEアシスト型モードを使用して、またはそれらの組合せを使用して、通信パラメータの第1のセットを決定することができる。ブラインド検出モードの一例は、第1の基地局が、同期期間中に同期信号の送信を控え、代わりに、第2の基地局からの同期信号を聴取することを含み得る。第2の基地局から検出された同期信号は、第2の基地局が、発見手順を開始することを第1の基地局に許可するために十分な情報を提供し得る。ネットワークアシスト型モードの一例は、第1の基地局が、通信パラメータの第1のセットを決定するために、ネットワークエンティティとの限定されたリンク(たとえば、低帯域幅リンク、データ限定リンク(data limited link)など)を利用することを含み得る。UEアシスト型モードの一例は、第1の基地局および第2の基地局と通信中であるUEを識別することを含み得る。第1の基地局は、UEを活用して、通信パラメータの第1のセットを決定するための情報を第2の基地局と交換することができる。概して、発見手順中、第1の基地局は、第2の基地局に関連付けられた追加の通信パラメータ、たとえば、通信パラメータの第2のセットを識別または決定することができる。通信パラメータの第2のセットの例は、変調コーディング方式(MCS)、フレーム整合タイミング情報、ビーコン送信タイミング情報などを含み得る。
【０００８】
例の第1の例示的なセットでは、ミリメートル波ワイヤレス通信システムにおけるワイヤレス通信のための方法について説明する。この方法は、ミリメートル波ワイヤレス通信システムの第1の基地局が、ミリメートル波ワイヤレス通信システムの第2の基地局に関連付けられたタイミングパラメータおよび伝搬パラメータを決定するステップと、タイミングパラメータおよび伝搬パラメータに少なくとも部分的に基づいて第2の基地局と発見手順を実行するステップであって、発見手順の少なくとも一部分が、ミリメートル波ワイヤレス通信システムを介してワイヤレスに実行される、実行するステップとを含み得る。
【０００９】
いくつかの例では、この方法は、第1の基地局および第2の基地局に対する接続を有するネットワークエンティティを識別するステップと、タイミングパラメータ、もしくは伝搬パラメータのうちの少なくとも1つ、またはそれらの組合せを示す情報をネットワークエンティティから受信するステップとを含み得る。この方法は、第2の基地局とのバックホール通信リンクを確立するための要求を示す情報をネットワークに送信するステップを含み得る。ネットワークエンティティは、有線通信リンクを介して第1の基地局および第2の基地局に接続され得る。ネットワークエンティティは、ミリメートル波ワイヤレス通信システムの第3の基地局に関連付けられたワイヤレス通信リンクを介して第1の基地局および第2の基地局に接続され得る。
【００１０】
いくつかの例では、タイミングパラメータまたは伝搬パラメータのうちの少なくとも1つを示す、ネットワークエンティティから受信された情報は、第1の基地局または第2の基地局の前のバックホール通信リンク、もしくは第1の基地局および第2の基地局の地理的ロケーション、または第1の基地局または第2の基地局を介した通信に関連付けられた、1つまたは複数のユーザ機器(UE)から受信されたメッセージに少なくとも部分的に基づき得る。ネットワークエンティティから受信された情報は、発見手順の実行を試みるためにタイミング窓に関連付けられたタイミング窓パラメータ、第2の基地局によって送信されているビームの品質に関連付けられた探索ビームパラメータ、第2の基地局の送信シーケンスに関連付けられたシーケンスパラメータ、第2の基地局の1つまたは複数の能力を識別する基地局能力パラメータ、またはそれらの組合せの指示を含み得る。
【００１１】
いくつかの例では、この方法は、第1の基地局が、同期期間中に同期信号の送信を控えるステップと、同期期間中に第1の基地局が、第2の基地局によって送信された同期信号を監視するステップとを含み得る。この方法は、第2の基地局が同期信号を送信したと決定すると、送信された同期信号に少なくとも部分的に基づいて発見手順を開始するステップを含み得る。発見手順を開始するための第2の基地局に対するメッセージは指向性ランダムアクセスチャネル(DRACH)を介して送られてよい。
【００１２】
いくつかの例では、この方法は、第1の基地局が、同期信号の送信を控えて、第2の基地局からの同期信号送信を監視することに関連付けられた所定の周期性を決定するステップを含み得る。所定の周期性は、ネットワークエンティティから受信された情報に少なくとも部分的に基づいて決定され得る。第2の基地局から送信された同期信号は指向性一次同期信号(DPSS:directional primary synchronization signal)を含み得る。
【００１３】
いくつかの例では、この方法は、第1の基地局が、少なくとも1つのユーザ機器(UE)が第1の基地局および第2の基地局と通信中であると決定するステップと、第2の基地局に関連付けられたタイミングパラメータまたは伝搬パラメータのうちの少なくとも1つを決定するための1つまたは複数のメッセージを少なくとも1つのUEを通じて第2の基地局に中継するステップとを含み得る。この方法は、第2の基地局に関連付けられた情報を含む1つまたは複数のメッセージをUEから受信するステップと、UEから受信された1つまたは複数のメッセージに少なくとも部分的に基づいて発見手順を実行すると決定するステップとを含み得る。
【００１４】
いくつかの例では、第2の基地局に関連付けられた、UEから受信された情報は、発見手順の実行を試みるためのタイミング窓に関連付けられたタイミング窓パラメータ、第2の基地局によって送信されているビームの品質に関連付けられた探索ビームパラメータ、第2の基地局の送信シーケンスに関連付けられたシーケンスパラメータ、第2の基地局の1つまたは複数の能力を識別する基地局能力パラメータ、またはそれらの組合せの指示を含み得る。少なくとも1つのUEは、ミリメートル波ワイヤレス通信システムのワイヤレス通信リンクを介して第1の基地局および第2の基地局と通信中であり得る。この方法は、発見手順に少なくとも部分的に基づいて第2の基地局とのバックホール通信リンクを確立するステップを含み得る。
【００１５】
いくつかの例では、バックホール通信リンクは、ミリメートル波ワイヤレス通信システムを介して確立されたワイヤレスバックホール通信リンクであり得る。この方法は、バックホール通信リンクを介して第2の基地局と1つまたは複数の協調機能を実行するステップを含み得る。タイミングパラメータは、ミリメートル波ワイヤレス通信システムの第2の基地局に関連付けられた通信のためのフレームタイミングに少なくとも部分的に基づき得る。伝搬パラメータは、第1の基地局と第2の基地局との間の通信のためのビーム形成パターンに少なくとも部分的に基づき得る。
【００１６】
例の第2の例示的なセットにおいて、ワイヤレス通信のための装置について説明する。この装置は、ミリメートル波ワイヤレス通信システムの第1の基地局を含み得る。この装置は、プロセッサと、プロセッサと電気的に通信するメモリと、メモリ内に記憶された命令とを含み得る。これらの命令は、ミリメートル波ワイヤレス通信システムの第1の基地局が、ミリメートル波ワイヤレス通信システムの第2の基地局に関連付けられたタイミングパラメータおよび伝搬パラメータを決定することと、タイミングパラメータおよび伝搬パラメータに少なくとも部分的に基づいて第2の基地局と発見手順を実行することであって、発見手順の少なくとも一部分が、ミリメートル波ワイヤレス通信システムを介してワイヤレスに実行される、実行することとを行うためにプロセッサによって実行可能である。
【００１７】
いくつかの例では、この装置は、第1の基地局および第2の基地局に対する接続を有するネットワークエンティティを識別し、タイミングパラメータ、もしくは伝搬パラメータのうちの少なくとも1つ、またはそれらの組合せを示す情報をネットワークエンティティから受信するためにプロセッサによって実行可能な命令を含み得る。この装置は、第2の基地局とのバックホール通信リンクを確立するための要求を示す情報をネットワークエンティティに送信するためにプロセッサによって実行可能な命令を含み得る。ネットワークエンティティは、有線通信リンクを介して第1の基地局および第2の基地局に接続され得る。ネットワークエンティティは、ミリメートル波ワイヤレス通信システムの第3の基地局に関連付けられたワイヤレス通信リンクを介して第1の基地局および第2の基地局に接続され得る。
【００１８】
いくつかの例では、タイミングパラメータまたは伝搬パラメータのうちの少なくとも1つを示す、ネットワークエンティティから受信された情報は、第1の基地局または第2の基地局の前のバックホール通信リンク、もしくは第1の基地局および第2の基地局の地理的ロケーション、または第1の基地局または第2の基地局を介した通信に関連付けられた、1つまたは複数のユーザ機器(UE)から受信されたメッセージ、またはそれらの組合せに少なくとも部分的に基づく。ネットワークエンティティから受信された情報は、発見手順の実行を試みるためにタイミング窓に関連付けられたタイミング窓パラメータ、第2の基地局によって送信されているビームの品質に関連付けられた探索ビームパラメータ、第2の基地局の送信シーケンスに関連付けられたシーケンスパラメータ、第2の基地局の1つまたは複数の能力を識別する基地局能力パラメータ、またはそれらの組合せの指示を含み得る。
【００１９】
いくつかの例では、この装置は、第1の基地局が、同期期間中に同期信号の送信を控え、同期期間中に第1の基地局が、第2の基地局によって送信された同期信号を監視するためにプロセッサによって実行可能な命令を含み得る。この装置は、第2の基地局が同期信号を送信したと決定すると、送信された同期信号に少なくとも部分的に基づいて発見手順を開始するためにプロセッサによって実行可能な命令を含み得る。発見手順を開始するための第2の基地局に対するメッセージは指向性ランダムアクセスチャネル(DRACH)を介して送られてよい。この装置は、第1の基地局が、同期信号の送信を控えて、第2の基地局からの同期信号送信を監視することに関連付けられた所定の周期性を決定するためにプロセッサによって実行可能な命令を含み得る。
【００２０】
いくつかの例では、所定の周期性は、ネットワークエンティティから受信された情報に少なくとも部分的に基づいて決定される。第2の基地局から送信された同期信号は指向性一次同期信号(DPSS)を含み得る。この装置は、第1の基地局が、少なくとも1つのユーザ機器(UE)が第1の基地局および第2の基地局と通信中であると決定し、第2の基地局に関連付けられたタイミングパラメータまたは伝搬パラメータのうちの少なくとも1つを決定するための1つまたは複数のメッセージを少なくとも1つのUEを通じて第2の基地局に中継するためにプロセッサによって実行可能な命令を含み得る。
【００２１】
いくつかの例では、この装置は、第2の基地局に関連付けられた情報を含む1つまたは複数のメッセージをUEから受信し、UEから受信された1つまたは複数のメッセージに少なくとも部分的に基づいて発見手順を実行すると決定するためにプロセッサによって実行可能な命令を含み得る。第2の基地局に関連付けられた、UEから受信された情報は、発見手順の実行を試みるためのタイミング窓に関連付けられたタイミング窓パラメータ、第2の基地局によって送信されているビームの品質に関連付けられた探索ビームパラメータ、第2の基地局の送信シーケンスに関連付けられたシーケンスパラメータ、第2の基地局の1つまたは複数の能力を識別する基地局能力パラメータ、またはそれらの組合せの指示を含み得る。
【００２２】
いくつかの例では、少なくとも1つのUEは、ミリメートル波ワイヤレス通信システムのワイヤレス通信リンクを介して第1の基地局および第2の基地局と通信中である。この装置は、発見手順に少なくとも部分的に基づいて第2の基地局とのバックホール通信リンクを確立するためにプロセッサによって実行可能な命令を含み得る。バックホール通信リンクは、ミリメートル波ワイヤレス通信システムを介して確立されたワイヤレスバックホール通信リンクであり得る。この装置は、バックホール通信リンクを介して第2の基地局と1つまたは複数の協調機能を実行するためのプロセッサによって実行可能な命令を含み得る。
【００２３】
いくつかの例では、タイミングパラメータは、ミリメートル波ワイヤレス通信システムの第2の基地局に関連付けられた通信のためのフレームタイミングに少なくとも部分的に基づく。伝搬パラメータは、第1の基地局と第2の基地局との間の通信のためのビーム形成パターンに少なくとも部分的に基づき得る。
【００２４】
例の第3の例示的なセットにおいて、ワイヤレス通信のための装置について説明する。この装置は、ミリメートル波ワイヤレス通信システムの第1の基地局を含み得る。この装置は、ミリメートル波ワイヤレス通信システムの第1の基地局が、ミリメートル波ワイヤレス通信システムの第2の基地局に関連付けられたタイミングパラメータおよび伝搬パラメータを決定するための手段と、タイミングパラメータおよび伝搬パラメータに少なくとも部分的に基づいて第2の基地局と発見手順を実行するための手段であって、発見手順の少なくとも一部分が、ミリメートル波ワイヤレス通信システムを介してワイヤレスに実行される、実行するための手段とを含み得る。
【００２５】
いくつかの例では、この装置は、第1の基地局および第2の基地局に対する接続を有するネットワークエンティティを識別するための手段と、タイミングパラメータ、もしくは伝搬パラメータのうちの少なくとも1つ、またはそれらの組合せを示す情報をネットワークエンティティから受信するための手段とを含み得る。この装置は、第2の基地局とのバックホール通信リンクを確立するための要求を示す情報をネットワークエンティティに送信するための手段を含み得る。
【００２６】
例の第4の例示的なセットにおいて、ワイヤレス通信のためのコンピュータ実行可能コードを記憶する非一時的コンピュータ可読媒体について説明する。このコードは、ミリメートル波ワイヤレス通信システムの第1の基地局が、ミリメートル波ワイヤレス通信システムの第2の基地局に関連付けられたタイミングパラメータおよび伝搬パラメータを決定することと、タイミングパラメータおよび伝搬パラメータに少なくとも部分的に基づいて第2の基地局と発見手順を実行することであって、発見手順の少なくとも一部分が、ミリメートル波ワイヤレス通信システムを介してワイヤレスに実行される、実行することとを行うためにプロセッサによって実行可能である。
【００２７】
前述のことは、以下の発明を実施するための形態がよりよく理解され得るように、本開示による実施例の特徴および技術的利点をかなり広範に概説している。追加の特徴および利点について、以下で説明する。開示する概念および具体例は、本開示の同じ目的を実行するための他の構造を変更または設計するための基礎として容易に利用され得る。そのような等価な構築は、添付の特許請求の範囲から逸脱しない。本明細書で開示する概念の特性、それらの編成と動作の方法の両方が、添付の図とともに検討されると、関連する利点とともに以下の説明からよりよく理解されよう。図の各々は、例示および説明のために提供され、特許請求の範囲の限界を定めるものではない。
【００２８】
本発明の性質および利点のさらなる理解は、添付の図面を参照することによって実現することができる。添付の図面において、類似の構成要素または特徴は、同じ参照ラベルを有することができる。さらに、同じタイプの様々な構成要素は、類似の構成要素を区別するダッシュおよび第2のラベルを参照ラベルに続けることによって区別され得る。第1の参照ラベルのみが本明細書において使用される場合には、その説明は、第2の参照ラベルにかかわらず、同じ第1の参照ラベルを有する同様の構成要素のうちのいずれか1つに適用可能である。
【図面の簡単な説明】
【００２９】
【図１】本開示の種々の態様による、ワイヤレス通信システムのブロック図である。
【図２】本開示の様々な態様による、ワイヤレス通信における発見動作の態様を示すスイム図(swim diagram)である。
【図３】本開示の様々な態様による、ワイヤレス通信における発見動作の態様を示すスイム図である。
【図４】本開示の様々な態様による、ワイヤレス通信における発見動作の態様を示すスイム図である。
【図５】本開示の様々な態様による、ワイヤレス通信における1つの例示的な発見動作の態様の図である。
【図６】本開示の様々な態様による、ワイヤレス通信において使用するための装置のブロック図である。
【図７】本開示の様々な態様による、ワイヤレス通信において使用するための装置のブロック図である。
【図８】本開示の様々な態様による、ワイヤレス通信において使用する基地局(たとえば、eNBの一部またはすべてを形成する基地局)のブロック図である。
【図９】本開示の様々な態様による、ワイヤレス通信のための方法の一例を示すフローチャートである。
【図１０】本開示の様々な態様による、ワイヤレス通信のための方法の別の例を示すフローチャートである。
【図１１】本開示の種々の態様による、ワイヤレス通信のための方法の別の例を示すフローチャートである。
【発明を実施するための形態】
【００３０】
次世代セルラー通信システムは、mmWワイヤレス通信チャネルを利用することができる。そのようなmmW通信チャネルは、20+GHz範囲の周波数を使用することを伴う場合があり、これは、インフラストラクチャ構成要素の開発および配備において追加の考慮事項を必要とする。たとえば、mmWワイヤレスリンクは、より小さな地理的カバレージエリアを有する傾向があり、指向性送信の使用を必要とすることが多い。広範囲のカバレージを提供するために、既存のセルラー通信システムのための旧来のマクロ基地局に対して、より密集したmmW基地局集団を配備することができる。一部の環境において、コストおよび/または実行可能性の観点から、すべてのmmW基地局に高速有線通信リンクを配備することは合理的でない場合がある。たとえば、mmW基地局とネットワークエンティティとの間の強い通信リンクのためにすべての配備ロケーションが適しているとは限らない。ネットワークエンティティに対する限定されたリンクを有するか、または直接リンクを有さない、そのようなmmW基地局は、したがって、ネットワーク機能にアクセスして、旧来のバックホール動作を実行するために、1つまたは複数の近隣mmW基地局との直接リンクを確立することになる。しかしながら、ネットワークエンティティに対する限定されたアクセス(または、アクセスがないこと)により、そのような近隣基地局の発見はmmWインフラストラクチャにおいて問題になり得る。
【００３１】
本明細書の態様によれば、高周波システム(たとえば、ミリメートル波通信システム)において、基地局は、第2の基地局と発見手順を開始するために、第2の基地局に関連付けられた特定の通信パラメータを決定することができる。たとえば、mmW通信の指向性の性質を鑑みて、第1の基地局は、たとえば、第2の基地局が第1の基地局に対してどの方向にあるかを知るために、第2の基地局に関連付けられた伝搬パラメータを決定することができる。追加または代替として、第1の基地局は、第2の基地局に関連付けられたタイミングパラメータ、たとえば、第2の基地局による同期信号送信タイミングの指示を決定することができる。伝搬パラメータおよびタイミングパラメータは、第2の基地局と発見手順を開始するために、第1の基地局に十分な情報を提供することができる。発見手順中に、第1の基地局は、第2の基地局とのバックホールリンクを確立するために必要な任意の残りの通信パラメータ、たとえば、フレームタイミングおよび整合情報、MCS方式、チャネル可用性情報、基地局能力情報などを決定することができる。
【００３２】
以下の説明は、例を提供するものであり、特許請求の範囲に記載された範囲、適用性、または例を限定するものではない。本開示の範囲から逸脱することなしに、論じる要素の機能および配置に変更が行われてよい。様々な例は、必要に応じて、様々な手順または構成要素を省略、置換、または追加することができる。たとえば、説明する方法は、記載する順序とは異なる順序で実行されてもよく、様々なステップが追加、省略、または結合されてもよい。また、いくつかの例に関して説明する特徴は、他の例において結合され得る。
【００３３】
図1は、本開示の種々の態様による、ワイヤレス通信システム100の一例を示す。ワイヤレス通信システム100は、基地局105とUE115とコアネットワーク130とを含む。コアネットワーク130は、ユーザ認証、アクセス許可、トラッキング、インターネットプロトコル(IP)接続、および他のアクセス機能、ルーティング機能、またはモビリティ機能を提供し得る。基地局105は、バックホールリンク132(たとえば、S1など)を通じてコアネットワーク130とインターフェース接続し、UE115との通信のための無線構成およびスケジューリングを実行することができるか、または基地局コントローラ(図示せず)の制御下で動作することができる。種々の例において、基地局105は、有線通信リンクまたはワイヤレス通信リンクとすることができるバックホールリンク134(たとえば、X1など)を介して、直接、または間接的に(たとえば、コアネットワーク130を通じて)のいずれかで、互いに通信することができる。いくつかの例では、いくつかの基地局105は、コアネットワーク130に対して何の接続も有さない(または、限定された接続を有する)場合があり、代わりに、発見動作およびバックホール動作を実行するために近隣基地局105に対する直接ワイヤレス接続に依存する場合がある。
【００３４】
基地局105は、1つまたは複数の基地局アンテナを介して、UE115とワイヤレス通信することができる。基地局105の各々は、それぞれの地理的カバレージエリア110に通信カバレージを提供することができる。いくつかの例では、基地局105は、トランシーバ基地局、無線基地局、アクセスポイント、無線トランシーバ、NodeB、eNodeB(eNB)、ホームNodeB、ホームeNodeB、または何らかの他の適切な用語で呼ばれることがある。基地局105のための地理的カバレージエリア110は、カバレージエリアの一部分のみを構成するセクタ(図示せず)に分割することができる。ワイヤレス通信システム100は、異なるタイプの基地局105(たとえば、マクロセル基地局および/またはスモールセル基地局)を含むことができる。異なる技術のための重複する地理的カバレージエリア110が存在する場合がある。
【００３５】
いくつかの例では、ワイヤレス通信システム100は、LTE/LTE-Aネットワークである。LTE/LTE-Aネットワークでは、発展型ノードB(eNB)という用語は、一般に、基地局105を表すために使用され得るが、UEという用語は、一般に、UE115を表すために使用され得る。ワイヤレス通信システム100は、異なるタイプのeNBが様々な地理的領域にカバレージを提供する異種LTE/LTE-Aネットワークであり得る。たとえば、各eNBまたは基地局105は、マクロセル、スモールセル、および/または他のタイプのセルに通信カバレージを提供し得る。「セル」という用語は、文脈に応じて、基地局、基地局に関連付けられたキャリアもしくはコンポーネントキャリア、またはキャリアもしくは基地局のカバレージエリア(たとえば、セクタなど)を表すために使用され得る3GPP用語である。
【００３６】
マクロセルは、一般に、比較的大きい地理的エリア(たとえば、半径数キロメートル)をカバーし、ネットワークプロバイダのサービスに加入しているUEによる無制限アクセスを可能にすることができる。スモールセルは、マクロセルと同じまたはマクロセルとは異なる(たとえば、認可、無許可などの)周波数帯域において動作することができ、マクロセルと比べて低電力の基地局である。スモールセルは、種々の例に従って、ピコセルと、フェムトセルと、マイクロセルとを含むことができる。ピコセルは、比較的小さい地理的エリアをカバーすることができ、ネットワークプロバイダを伴うサービスに加入しているUEによる無制限アクセスを可能にすることができる。フェムトセルも、比較的小さい地理的エリア(たとえば、自宅)をカバーすることができ、フェムトセルとの関連性を有するUE(たとえば、限定加入者グループ(CSG)の中のUE、自宅内のユーザのためのUEなど)による制限付きアクセスを提供することができる。マクロセル用のeNBは、マクロeNBと呼ばれることがある。スモールセル用のeNBは、スモールセルeNB、ピコeNB、フェムトeNB、またはホームeNBと呼ばれることがある。eNBは、1つまたは複数(たとえば、2つ、3つ、4つなど)のセル(たとえば、コンポーネントキャリア)をサポートし得る。
【００３７】
ワイヤレス通信システム100は、同期動作または非同期動作をサポートし得る。同期動作の場合、基地局は、同様のフレームタイミングを有することができ、異なる基地局からの送信を時間的に概ね揃えることができる。非同期動作の場合、基地局は、異なるフレームタイミングを有することができ、異なる基地局からの送信は時間的に揃えられない場合がある。本明細書で説明する技法は、同期動作または非同期動作のいずれかに使用することができる。
【００３８】
開示する種々の例のいくつかに適応することができる通信ネットワークは、階層化プロトコルスタックに従って動作するパケットベースネットワークとすることができる。ユーザプレーンでは、ベアラまたはパケットデータコンバージェンスプロトコル(PDCP)レイヤにおける通信は、IPベースとすることができる。無線リンク制御(RLC)レイヤは、論理チャネルを介して通信するために、パケットのセグメンテーションおよびリアセンブリを実行することができる。媒体アクセス制御(MAC)レイヤは、優先度処理および論理チャネルのトランスポートチャネルへの多重化を実行し得る。MACレイヤはまた、リンク効率を改善するためにMACレイヤにおいて再送信を行うためにハイブリッドARQ(HARQ)を使用し得る。制御プレーンでは、無線リソース制御(RRC)プロトコルレイヤは、UE115と基地局105またはユーザプレーンデータのための無線ベアラをサポートするコアネットワーク130との間のRRC接続の確立、構成、および維持を提供し得る。物理(PHY)レイヤにおいて、トランスポートチャネルは物理チャネルにマッピングされ得る。
【００３９】
UE115は、ワイヤレス通信システム100全体にわたって分散され、各UE115は固定またはモバイルとすることができる。UE115はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれる場合があり、またはそれらを含み得る。UE115は、携帯電話、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局などであり得る。UEは、マクロeNB、スモールセルeNB、中継基地局などを含む、様々なタイプの基地局およびネットワーク機器と通信することが可能であり得る。
【００４０】
ワイヤレス通信システム100内に示した通信リンク125は、UE115から基地局105へのアップリンク(UL)送信、および/または基地局105からUE115へのダウンリンク(DL)送信を含む場合がある。ダウンリンク送信は順方向リンク送信と呼ばれることもあり、一方、アップリンク送信は逆方向リンク送信と呼ばれることもある。各通信リンク125は、1つまたは複数のキャリアを含み得、各キャリアは、上述した様々な無線技術に従って変調された複数のサブキャリア(たとえば、異なる周波数の波形信号)から構成される信号であり得る。各々の変調された信号は、異なるサブキャリア上で送られてよく、制御情報(たとえば、基準信号、制御チャネルなど)、オーバーヘッド情報、ユーザデータなどを搬送し得る。通信リンク125は、(たとえば、対のスペクトルリソースを使用する)FDD動作または(たとえば、不対のスペクトルリソースを使用する)TDD動作を使用して双方向通信を送信し得る。FDD(たとえば、フレーム構造タイプ1)およびTDD(たとえば、フレーム構造タイプ2)のフレーム構造が定義され得る。
【００４１】
システム100のいくつかの実施形態では、基地局105および/またはUE115は、アンテナダイバーシティ方式を採用して基地局105とUE115との間の通信の品質および信頼性を向上させるための複数のアンテナを含み得る。追加または代替として、基地局105および/またはUE115は、マルチパス環境を利用して、同じまたは異なる符号化データを搬送する複数の空間レイヤを送信することができる、多入力多出力(MIMO)技法を採用し得る。
【００４２】
ワイヤレス通信システム100は、キャリアアグリゲーション(CA)またはマルチキャリア動作と呼ばれ得る特徴である、複数のセルまたはキャリア上の動作をサポートし得る。キャリアは、コンポーネントキャリア(CC)、レイヤ、チャネルなどと呼ばれることもある。「キャリア」、「コンポーネントキャリア」、「セル」、および「チャネル」という用語は、本明細書で互換的に使用され得る。UE115は、キャリアアグリゲーションのための複数のダウンリンクCCおよび1つまたは複数のアップリンクCCで構成され得る。キャリアアグリゲーションは、FDDコンポーネントキャリアとTDDコンポーネントキャリアの両方とともに使用され得る。
【００４３】
ワイヤレス通信システム100は、700MHzから2600MHz(2.6GHz)の周波数帯域を使用する超高周波(UHF)周波数領域で動作し得るが、場合によっては、WLANネットワークは、4GHzのような高い周波数を使用し得る。この領域は、デシメートル帯域として知られることもあり、その理由は、波長が約1デシメートルから1メートルの長さに及ぶからである。UHF波は、主に見通し線によって伝搬することができ、ビルおよび環境的な特徴によってブロックされ得る。しかしながら、波は、屋内に位置するUE115にサービスを提供するために十分に壁を貫通することができる。UHF波の送信は、スペクトルの高周波(HF)または超高周波(VHF)部のより小さい周波数(および、より長い波)を使用する送信と比較して、より小型のアンテナおよびより短距離(たとえば、100km未満)によって特徴付けられる。場合によっては、ワイヤレス通信システム100は、スペクトルの極端に高い周波数(EHF)部(たとえば、30GHz〜300GHz)を利用することもできる。この領域は、ミリメートル波帯域(または、mmW)として知られることもあり、その理由は、波長が約1ミリメートルから1センチメートルの長さに及ぶからである。したがって、EHFアンテナは、UHFアンテナよりもさらに小型であり、より間隔が密であり得る。場合によっては、これは、UE115内における(たとえば、指向性ビームフォーミングのための)アンテナアレイの使用を容易にし得る。しかしながら、EHF送信は、UHF送信よりもさらに大きい大気減衰およびより短距離を受けることがある。
【００４４】
ワイヤレス通信システム100は、ミリメートル波通信のための発見手順をサポートし得る。たとえば、ミリメートル波基地局105は、コアネットワーク130に対して何の接続も有さず(または、限定された接続を有し)、したがって、バックホールリンクを確立するために、近隣ミリメートル波基地局105と発見手順を実行することができる(たとえば、近隣ミリメートル波基地局105は様々なネットワーク構成要素に対してロバストな接続性を有し得る)。第1のミリメートル波基地局105は、第2の(または、近隣の)ミリメートル波基地局に対する伝搬パラメータおよび/またはタイミングパラメータを決定することができる。タイミングパラメータおよび伝搬パラメータは、第2のミリメートル波基地局からのビーコン信号または同期信号の検出を試みるために、第1のミリメートル波基地局105に十分な情報を提供することができる。第1のミリメートル波基地局105は、タイミングパラメータおよび/または伝搬パラメータに基づいて発見手順を開始することができる。
【００４５】
いくつかの例では、第1のミリメートル波基地局105は、たとえば、ネットワークエンティティに対して限定されたリンクまたは制限されたリンクを使用してネットワークエンティティにアクセスすることによって、タイミングパラメータおよび伝搬パラメータを決定することができる。たとえば、第1のミリメートル波基地局105は、近隣基地局に関連付けられた情報を要求するメッセージを限定されたリンクを介してネットワークエンティティに送ることができる。ネットワークエンティティは、タイミングパラメータおよび/または伝搬パラメータを送ることによって応答することができる。別の例は、第1のミリメートル波基地局150が第2のミリメートル波基地局と通信中のUE115を識別することを含み得る。第1のミリメートル波基地局105は、タイミングパラメータおよび/または伝搬パラメータを決定するために、共有されたUE115を介して通信リンクを利用することができる。他の例は、第1のミリメートル波基地局105が、リソース区分方式、たとえば、アクセスリソースとバックホールリソースとを区分することに基づいて、タイミングパラメータおよび/または伝搬パラメータをブラインド検出することを含み得る。第1のミリメートル波基地局105は、決定されたパラメータを使用して、かつ発見手順に基づいて、第2のミリメートル波基地局と発見手順を開始して、バックホール通信リンクを確立するために使用される第2のミリメートル波基地局に関連付けられた追加の通信パラメータを決定することができる。
【００４６】
図2は、本開示の様々な態様による、発見動作の態様を示すスイム図200である。図200は、図1を参照して説明したシステム100の態様を示し得る。図200は、第1のミリメートル波(mmW)基地局205と第2のmmW基地局210とを含む。第1のmmW基地局205および/または第2のmmW基地局210は、図1に関して上記で説明した基地局105のうちの1つまたは複数の例であり得る。一般に、図200は、ミリメートル波通信システムにおける発見動作を実装する態様を示す。いくつかの例では、基地局105のうちの1つなどのシステムデバイスは、デバイスの機能要素を制御して、下記で説明する機能のうちのいくつかまたはすべてを実行するためにコードの1つまたは複数のセットを実行することができる。
【００４７】
ブロック215において、第1のmmW基地局205は、第2の基地局210に関連付けられたタイミングパラメータおよび伝搬パラメータを決定することができる。タイミングパラメータは、第2のmmW基地局210との通信に関連付けられた様々なタイミング成分を含み得る。たとえば、タイミング成分は、第2の基地局210からのビーコン信号および/または同期信号をスケジュールすることに関連付けられた情報を含み得る。タイミングパラメータの他の例は、フレーム整合およびタイミング情報、第2のmmW基地局210に関する通常の同期タイミング情報、第2のmmW基地局210と発見手順の実行を試みることに関連付けられたタイミング窓パラメータなどを含み得るが、これらに限定されない。伝搬パラメータは、指向性通信に関連付けられた情報を含み得る。例示的な伝搬パラメータは、第1のmmW基地局205および第2のmmW基地局210の地理的ロケーション、第2のmmW基地局210によって送信された1つまたは複数の発見ビーム(たとえば、ビーコン信号および/または同期信号)に関連付けられたビームカウントパラメータなどに基づくビーム形成指向性パラメータを含み得るが、これらに限定されない。
【００４８】
ブロック220において、第1のmmW基地局205は、第2のmmW基地局210と発見手順225を開始することができる。発見手順225は、決定されたタイミングパラメータ、決定された伝搬パラメータ、または両方の組合せに基づき得る。発見手順225の少なくとも一部分は、mmWワイヤレス通信システムを介してワイヤレスで実行され得る。
【００４９】
図3は、本開示の様々な態様による、発見動作の態様を示すスイム図300である。図300は、図1を参照して説明したシステム100の態様を示し得る。図300は、第1のミリメートル波(mmW)基地局305と、ネットワークエンティティ310と、第2のmmW基地局315とを含む。第1のmmW基地局305および/または第2のmmW基地局315は、図1に関して上記で説明した基地局105のうちの1つまたは複数の例であり得る。ネットワークエンティティ310は、図1に関して上記で説明したコアネットワーク130の一例であり得る。一般に、図300は、ミリメートル波通信システムにおけるネットワークアシスト型発見動作を実装する態様を示す。いくつかの例では、基地局105のうちの1つなどのシステムデバイスは、デバイスの機能要素を制御して、下記で説明する機能のうちのいくつかまたはすべてを実行するためにコードの1つまたは複数のセットを実行することができる。
【００５０】
ブロック320において、第1のmmW基地局305は、ネットワークエンティティ310との接続を識別することができる。接続は、ネットワークエンティティ310に対する直接接続および/または第3のmmW基地局(図示せず)を介した間接接続であってよい。直接接続の場合、第1のmmW基地局305は、たとえば、低帯域幅接続および/または制限された接続を介して、最小データ通信をサポートする限定された接続を有し得る。第1のmmW基地局305は、やはり第2のmmW基地局315に接続されたネットワークエンティティ310との接続を識別することができる。
【００５１】
ブロック325において、第1のmmW基地局305は、ネットワークエンティティ310からパラメータ330を受信することができる。パラメータは、第2のmmW基地局315に関連付けられたタイミングパラメータ、第2のmmW基地局315に関連付けられた伝搬パラメータのうちの少なくとも1つ、または両方のパラメータを含み得る。いくつかの例では、第1のmmW基地局305は、第2のmmW基地局315(または、任意の近隣mmW基地局)と発見手順を実行する必要を示すメッセージをネットワークエンティティ310に送ることができる。ネットワークエンティティ310は、mmW基地局に関連付けられた情報、たとえば、地理的ロケーション情報、動作能力、通信パラメータなどを記憶して、第1のmmW基地局305に関する発見動作およびバックホール動作の候補として第2のmmW基地局315を識別することができる。それに応じて、ネットワークエンティティ310は、パラメータ330を選択して、第2のmmW基地局315に関連付けられた第1のmmW基地局305に送ることができる。
【００５２】
前に論じたように、送られたパラメータは、第2のmmW基地局315に関連付けられたタイミングパラメータおよび伝搬パラメータを含み得る。タイミングパラメータは、第2のmmW基地局315との通信に関連付けられた様々なタイミング成分を含み得る。伝搬パラメータは、第2のmmW基地局315に対する指向性通信に関連付けられた情報を含み得る。
【００５３】
ブロック335において、第1のmmW基地局305は、第2のmmW基地局315と発見手順340を開始および実行することができる。発見手順340は、タイミングパラメータ、伝搬パラメータ、または両方の組合せに基づき得る。発見手順340の少なくとも一部分は、mmWワイヤレス通信システムを介してワイヤレスで実行され得る。発見手順は、いくつかの例では、第1のmmW基地局305が、第2のmmW基地局315と通信するための追加の(または、何らかの欠けている)通信パラメータ、たとえば、MCSパラメータ、チャネルの可用性および構成、能力パラメータなどを決定することを許可し得る。それに応じて、第1のmmW基地局305は、発見手順に少なくとも部分的に基づいて、バックホール動作を実行するために、第2のmmW基地局315とのバックホールリンクを確立することができる。
【００５４】
図4は、本開示の様々な態様による、発見動作の態様を示すスイム図400である。図400は、図1を参照して説明したシステム100の態様を示し得る。図400は、第1のミリメートル波(mmW)基地局405と、UE410と、第2のmmW基地局415とを含む。第1のmmW基地局405および/または第2のmmW基地局415は、図1に関して上記で説明した基地局105のうちの1つまたは複数の例であり得る。UE410は、図1に関して上記で説明したUE115のうちの1つまたは複数の一例であり得る。一般に、図400は、ミリメートル波通信システムにおけるUEアシスト型発見動作を実装する態様を示す。いくつかの例では、基地局105および/またはUE115のうちの1つなどのシステムデバイスは、以下で説明する機能の一部または全部を実行するために、デバイスの機能要素を制御するためのコードの1つまたは複数のセットを実行し得る。
【００５５】
ブロック420において、第1のmmW基地局405は、第1のmmW基地局405とUE410と第2のmmW基地局415との間の共通の接続を識別することができる。共通の接続は、UE410を通した第2のmmW基地局415に対する直接接続および/または1つまたは複数の追加のUE(図示せず)を介した間接接続であってよい。一般に、UE410を介した共通の接続は、第1のmmW基地局405と第2のmmW基地局415との間の限定された通信をサポートし得る。いくつかの例では、UE410は、第2のmmW基地局415を識別する情報、たとえば、第2のmmW基地局415に関連付けられた識別情報を含む、近隣セルリスト(NCL)を第1のmmW基地局に送ることができる。
【００５６】
ブロック425において、第1のmmW基地局405は、UE410を介して要求を第2のmmW基地局415に中継することができる。たとえば、第1のmmW基地局405は、メッセージを第2のmmW基地局415に転送するようにUE410に要求するメッセージ430をUE410に送ることができる。UE410はメッセージ435を第2のmmW基地局415に転送することができる。一般に、転送されたメッセージは、第2のmmW基地局415に関連付けられた、タイミングパラメータ、伝搬パラメータ、または両方のパラメータに対する要求を含み得る。
【００５７】
第2のmmW基地局415は、UE410を介して中継445される、第1のmmW基地局405からの要求に対する応答440を送ることができる。それに応じて、ブロック450において、第1のmmW基地局405は、第2のmmW基地局415に関連付けられた、タイミングパラメータ、伝搬パラメータ、または両方のパラメータを決定することができる。ブロック455において、第1のmmW基地局405は、第2のmmW基地局415と発見手順460を開始および実行することができる。発見手順460は、タイミングパラメータ、伝搬パラメータ、または両方の組合せに基づき得る。発見手順460の少なくとも一部分は、mmWワイヤレス通信システムを介してワイヤレスで実行され得る。発見手順は、いくつかの例では、第1のmmW基地局405が、第2のmmW基地局と通信するための追加の(または、何らかの欠けている)通信パラメータ、たとえば、MCSパラメータ、チャネルの可用性および構成、能力パラメータなどを決定することを許可し得る。それに応じて、第1のmmW基地局405は、発見手順に少なくとも部分的に基づいて、バックホール動作を実行するために、第2のmmW基地局とのバックホールリンクを確立することができる。
【００５８】
図5は、本開示の様々な態様による、ワイヤレス通信における例示的な発見動作の態様の図500を示す。図500は、図1を参照して説明したシステム100の態様を示し得る。一般に、図500は、第1のmmW基地局と第2の近隣mmW基地局との間の発見手順の1つまたは複数の態様の一例を示す。いくつかの例では、図1、図2、図3、および/または図4を参照して説明した基地局105、第1のmmW基地局205、305、および/または405など、1つまたは複数のmmW基地局などのシステムデバイスは、図500に関して示す機能の一部または全部を実行するために、デバイスの機能要素を制御するためのコードの1つまたは複数のセットを実行し得る。
【００５９】
そのカバレージエリア内のmmW基地局とUEとの間の典型的なアクセス手順は、基地局からの様々なビーコン、同期信号などの送信に続いて、UEからのアクセス要求を含み得る。UEは、同期信号を検出することによって、基地局の位置を特定することができ、UEは、同期信号から、基地局識別コード(セルID)、システムタイミング情報、フレーム整合情報などを獲得する。たとえば、第1のmmW基地局は、UEがその存在を検出するために、同期期間510中に指向性一次同期チャネル(DPSS:directional primary synchronization channel)を介して1つまたは複数の同期信号を送信することができる。同期信号は、第1のmmW基地局に関連付けられ、かつ第1のmmW基地局との通信のための追加のパラメータを集めるためにUEによって使用される様々な属性を含み得る。第1のmmW基地局は、次いで、一般に、アクセス期間505中に、指向性ランダムアクセスチャネル(DRACH)を介してUEからの応答を聴取する(または、監視する)ことができる。同様に、第2のmmW基地局は、同期期間520中にその独自の同期信号を送り、次いで、アクセス期間515中にそのカバレージエリア内でUEからの応答を監視する。
【００６０】
いくつかの例では、mmW基地局は、発見動作のためにいくつかのアクセスリソースをプロビジョニングすることによって、オーバージエア発見手順(たとえば、ブラインド発見手順)を実行することができる。たとえば、第1のmmW基地局は役割を切り替え、その同期期間510中に送信するのではなく、代わりに、第2のmmW基地局から送信された同期信号を聴取することができる。図500に示すように、第1のmmW基地局は、同期期間510-a中にその同期信号の送信を控え、代わりに、その同期期間520-a中に第2のmmW基地局から送信された同期信号を聴取することができる。
【００６１】
同様に、第1のmmW基地局は、アクセス期間505中にその同期信号を送信するためのアクセスリソースを再プロビジョニングすることができる。図500に示すように、第1のmmW基地局は、アクセス期間505-e中に聴取を控え、代わりに、アクセス期間505-e中にその同期信号を送信することができる。第2のmmW基地局は、次いで、そのアクセス期間515-e中に同期信号送信を検出することができる。したがって、図500は、mmWワイヤレス通信システムにおける発見動作のために採用され得るプロビジョニング方式の例を示す。
【００６２】
いくつかの態様によれば、そのようなリソースプロビジョニングの周期性は比較的低い場合がある。たとえば、mmW基地局は、そのそれぞれのカバレージエリア内でUEに十分なアクセス機会を提供するために、単に時々、またはしきい値レベル以下の周期性において、役割を切り替えることができる。
【００６３】
いくつかの例では、第1のmmW基地局によって決定されたタイミングパラメータは、第2のmmW基地局に関する同期期間および/またはアクセス期間に対応し得る。たとえば、第1のmmW基地局は、第1および第2のmmW基地局とのUE通信を介して、ネットワークエンティティから受信された情報に基づいて、かつ/またはブラインド発見手順を使用して、そのようなタイミングパラメータを決定することができる。やはり図500に示すように、第1および第2のmmW基地局は、共通のタイミング同期を共有しない場合があり、すなわち、互いと非同期の場合がある。説明するブラインド発見手順は、第1のmmW基地局が第2のmmW基地局に関するタイミングパラメータを決定することを許可することになるが、第1のmmW基地局は、説明した技法のうちのいずれかを使用してタイミングパラメータをすでに決定している場合があり、したがって、第2のmmW基地局に関連付けられたタイミングパラメータに少なくとも部分的に基づいて、リソースをプロビジョニングし得る。
【００６４】
その上、第1のmmW基地局は、第2のmmW基地局に関連付けられた伝搬パラメータを用いて、または用いずに、タイミングパラメータを決定するために(または、決定した後で)そのような発見手順を実行することができる。たとえば、第1のmmW基地局は、いくつかのアンテナが指向性通信、たとえば、ビーム形成するように構成される掃引パターン(sweeping pattern)を使用して、第2のmmW基地局からの同期信号送信の検出を試みることができる。第1のmmW基地局は、第1の同期期間中、たとえば、同期期間510-a中に第1の方向で聴取し、次いで、後続の同期期間中に第2の方向で聴取することができる。したがって、第1のmmW基地局は、基地局の方向(たとえば、地理的ロケーション)を知らずに、第2のmmW基地局(ならびに、他の近隣mmW基地局)から送信された同期信号を検出することができる。
【００６５】
図6は、本開示の様々な態様による、ワイヤレス通信において使用するための装置605のブロック図600を示す。いくつかの例では、装置605は、それぞれ、図1、図2、図3、および図4を参照して説明した、基地局105、205、305、および/または405のうちの1つまたは複数の態様の一例であり得る。いくつかの例では、装置605は、LTE/LTE-A eNBおよび/またはLTE/LTE-A基地局の一部であってよく、またはそれらを含んでもよい。装置605は、mmWワイヤレス通信システム内で動作する基地局でもよい。装置605はプロセッサであってもよい。装置605は、受信機610、発見マネージャ615、および/または送信機620を含み得る。これらのモジュールの各々は、互いに通信中であり得る。
【００６６】
装置605の構成要素は、ハードウェアにおける該当する機能の一部またはすべてを実行するように適合された1つまたは複数のASICを使用して、個別にまたは集合的に実装され得る。代替として、機能は、1つまたは複数の集積回路上で1つまたは複数の他の処理ユニット(または、コア)によって実行されてもよい。他の例では、当技術分野で公知の任意の方法でプログラムされ得る他のタイプの集積回路(たとえば、ストラクチャード/プラットフォームASIC、FPGA、および他のセミカスタムIC)が使用され得る。各構成要素の機能はまた、全体的または部分的に、1つまたは複数の汎用プロセッサまたは特定用途向けプロセッサによって実行されるようにフォーマットされた、メモリ内で具体化された命令を用いて実装されてもよい。
【００６７】
いくつかの例では、受信機610は、装置605に関する発見手順に関連付けられた1つまたは複数のメッセージを受信するために動作可能な無線周波数(RF)受信機など、少なくとも1つのRF受信機を含むことがある。受信機610は、図1を参照して説明したワイヤレス通信システム100の1つまたは複数の通信リンクなどの、ワイヤレス通信システムの1つまたは複数の通信リンクを介して様々なタイプのデータおよび/または制御信号(すなわち、送信)を受信するために使用され得る。
【００６８】
いくつかの例では、送信機620は、装置605に関する発見手順に関連付けられた1つまたは複数のメッセージを送信するために動作可能な少なくとも1つのRF送信機など、少なくとも1つのRF送信機を含むことがある。送信機620は、図1を参照して説明したワイヤレス通信システム100の1つまたは複数の通信リンクなどの、ワイヤレス通信システムの1つまたは複数の通信リンクを介して、様々なタイプのデータおよび/または制御信号(すなわち、送信)を送信するために使用され得る。
【００６９】
いくつかの例では、発見マネージャ615は、装置605に関する発見手順の1つまたは複数の態様を監視、制御、またはさもなければ、管理することができる。たとえば、装置605は、バックホール動作のためのバックホールリンクを確立するために、第2のmmW基地局と発見手順を開始および実行することを求めるmmW基地局であってよい。発見マネージャ615は、第2のmmW基地局に関連付けられた、タイミングパラメータ、伝搬パラメータ、またはタイミングパラメータと伝搬パラメータの両方を決定することができる。発見マネージャ615はまた、タイミングパラメータおよび伝搬パラメータに基づいて第2のmmW基地局と発見手順を実行することができる。発見手順の少なくとも一部分は、mmWワイヤレス通信システムを介してワイヤレスで実行され得る。
【００７０】
いくつかの例では、発見マネージャ615は、発見手順に基づいて第2のmmW基地局とのバックホール通信リンク、たとえば、mmWワイヤレス通信システムを介したワイヤレスバックホール通信リンクを確立する態様を管理することができる。装置605は、バックホール通信リンクを介して第2のmmW基地局と様々な協調機能を実行することができる。
【００７１】
いくつかの例では、発見マネージャ615は、第2のmmW基地局に関連付けられたタイミングパラメータを決定することができ、この場合、タイミングパラメータは、第2のmmW基地局と通信するためのフレームタイミング属性に基づく。その上、伝搬パラメータは、いくつかの例では、第2のmmW基地局と通信するためにビーム形成パターンに基づき得る。
【００７２】
図7は、本開示の様々な態様による、ワイヤレス通信において使用するための装置605-aのブロック図700を示す。いくつかの例では、装置605-aは、それぞれ、図1、図2、図3、および図4を参照して説明した、基地局105、205、305、および/または405のうちの1つまたは複数の態様の一例であり得る。いくつかの例では、装置605-aは、図6を参照して説明した装置605の一例であってもよい。いくつかの例では、装置605-aは、LTE/LTE-A eNBおよび/またはLTE/LTE-A基地局の一部であってよく、またはそれらを含んでもよい。装置605-aは、mmWワイヤレス通信システム内で動作する基地局でもよい。装置605-aはプロセッサであってもよい。装置605-aは、受信機610-a、発見マネージャ615-a、および/または送信機620-aを含み得る。これらのモジュールの各々は、互いに通信中であり得る。受信機610-aおよび送信機620-aは、それぞれ、図6を参照して説明した受信機610および送信機620の例であり得、それらの機能を実行し得る。いくつかの例では、発見マネージャ615-aは、図6を参照して説明した発見マネージャ615の一例であり得、タイミングおよび伝搬マネージャ705、リンクマネージャ710、および/または発見手順マネージャ715を含み得る。
【００７３】
いくつかの例では、タイミングおよび伝搬マネージャ705は、第2のmmW基地局との通信に関連付けられたタイミングパラメータおよび伝搬パラメータを決定する態様を監視、制御、またはさもなければ管理することができる。たとえば、タイミングパラメータは、第2のmmW基地局と通信するためにフレームタイミング属性に基づき得る。タイミングパラメータの他の例は、第2のmmW基地局に対する1つまたは複数の同期期間および/またはアクセス期間に関連付けられたビームシーケンシングタイミング情報(beam sequencing timing information)を含み得る。伝搬パラメータは、いくつかの例では、第2のmmW基地局と通信するためにビーム形成パターンに基づき得る。
【００７４】
いくつかの例では、タイミングおよび伝搬マネージャ705は、タイミングパラメータおよび伝搬パラメータを決定するためにリンクマネージャ710と協調することができる。たとえば、タイミングおよび伝搬マネージャ705は、単独で、または装置605-aの1つまたは複数の他の構成要素と協調して、装置605-aに、同期期間中に同期信号の送信を控えさせ、代わりに、同期期間中に、第2の基地局によって送信された同期信号を監視させることができる。第2の基地局が同期信号を送信したと決定すると、タイミングおよび伝搬マネージャ705は、送信された同期信号に少なくとも部分的に基づいて発見手順を開始することができる。いくつかの例では、発見手順を開始するための第2の基地局に対するメッセージは、ダウンリンク指向性ランダムアクセスチャネル(DRACH)を介して送られてよい。
【００７５】
いくつかの例では、タイミングおよび伝搬マネージャ705は、同期信号の送信を控えて、第2の基地局からの同期信号送信を監視することに関連付けられた所定の周期性を決定することができる。周期性は、少なくともいくつかの例では、ネットワークエンティティから受信された情報に少なくとも部分的に基づいて決定され得る。いくつかの例では、第2の基地局から送信された同期信号は指向性一次同期信号(DPSS)であってよい。
【００７６】
リンクマネージャ710は、いくつかの例では、装置605-aに関するタイミングパラメータおよび/または伝搬パラメータの態様を決定するために活用され得るリンクを識別する1つまたは複数の態様を監視、制御、またはさもなければ管理することができる。一例では、リンクマネージャ710は、装置605-aおよび第2のmmW基地局に対する接続を有するネットワークエンティティを識別することができる。リンクマネージャ710は、タイミングパラメータ、もしくは伝搬パラメータのうちの少なくとも1つ、またはそれらの組合せを示す情報をネットワークエンティティから受信することができる。たとえば、リンクマネージャ710は、単独で、または送信機620-aと協調して、第2の基地局とのバックホール通信リンクを確立するための要求を示す情報をネットワークに送信することができる。
【００７７】
いくつかの例では、リンクマネージャ710は、ネットワークエンティティが、有線通信リンク、たとえば、Ethernet通信リンクを介して、装置605-aおよび第2の基地局に接続されていると決定することができる。追加または代替として、リンクマネージャ710は、ネットワークエンティティが、ミリメートル波ワイヤレス通信システムの第3の基地局に関連付けられたワイヤレス通信リンクを介して装置605-aおよび第2の基地局に接続されていると決定することができる。すなわち、装置605-aは、たとえば、バックホールリンクを介して、第3のmmW基地局と通信中であり得、そのリンクを活用して、タイミングパラメータおよび/または伝搬パラメータの態様を決定することができる。
【００７８】
いくつかの例では、タイミングパラメータまたは伝搬パラメータのうちの少なくとも1つを示す、ネットワークエンティティから受信された情報は、装置605-aまたは第2の基地局の前のバックホール通信リンク、もしくは装置605-aおよび第2の基地局の地理的ロケーション、または装置605-aまたは第2の基地局を介した、通信に関連付けられた、1つまたは複数のユーザ機器(UE)から受信されたメッセージ、またはそれらの組合せに基づき得る。その上、ネットワークエンティティから受信された情報はまた、第2のmmW基地局に関連付けられた追加の通信パラメータを含み得る。例は、発見手順の実行を試みるためにタイミング窓に関連付けられたタイミング窓パラメータ、第2の基地局によって送信されているビームの品質に関連付けられた探索ビームパラメータ、第2の基地局の送信シーケンスに関連付けられたシーケンスパラメータ、第2の基地局の1つまたは複数の能力を識別する基地局能力パラメータ、またはそれらの組合せの指示を含むが、これらに限定されない。
【００７９】
いくつかの例では、リンクマネージャ710は、少なくとも1つのユーザ機器(UE)が装置605-aおよび第2の基地局と通信中であると決定して、第2の基地局に関連付けられたタイミングパラメータまたは伝搬パラメータのうちの少なくとも1つを決定するための1つまたは複数のメッセージを少なくとも1つのUEを通じて第2の基地局に中継することができる。したがって、リンクマネージャ710は、単独で、または受信機610-aと協調して、第2の基地局に関連付けられた情報を含む1つまたは複数のメッセージをUEから受信して、UEから受信された1つまたは複数のメッセージに少なくとも部分的に基づいて発見手順を実行すると決定することができる。
【００８０】
いくつかの例では、第2の基地局に関連付けられた、UEから受信された情報は、発見手順の実行を試みるためのタイミング窓に関連付けられたタイミング窓パラメータ、第2の基地局によって送信されているビームの品質に関連付けられた探索ビームパラメータ、第2の基地局の送信シーケンスに関連付けられたシーケンスパラメータ、第2の基地局の1つまたは複数の能力を識別する基地局能力パラメータ、またはそれらの組合せの指示も含み得る。少なくとも1つのUEは、いくつかの例では、ミリメートル波ワイヤレス通信システムのワイヤレス通信リンクを介して装置605-aおよび第2の基地局と通信中であり得る。
【００８１】
発見手順マネージャ715は、装置605-aに関する発見手順を実行する態様を監視、制御、またはさもなければ、管理することができる。発見手順は、第2のmmW基地局と実行可能であり、いくつかの例では、mmWワイヤレス通信システムを介してワイヤレスで実行可能である。発見手順マネージャ715は、タイミングパラメータを利用して、第2のmmW基地局と通信するためのフレームタイミング属性を決定し、第2のmmW基地局から同期信号送信の時間またはパターンなどを決定することができる。発見手順マネージャ715は、伝搬パラメータを利用して、第2のmmW基地局と通信するためのビーム形成方向を決定することができる。したがって、発見手順マネージャ715は、単独で、または装置605-aの他の構成要素と協調して、第2のmmW基地局と発見手順を開始および実行して、バックホール動作を実行するためのバックホール通信リンクを確立することに関連付けられた通信パラメータを決定することができる。
【００８２】
図8は、本開示の様々な態様による、ワイヤレス通信において使用する基地局105-a(たとえば、eNBの一部またはすべてを形成する基地局)のブロック図800を示す。いくつかの例では、基地局105-aは、図1を参照して説明した基地局105のうちの1つまたは複数の態様、それぞれ、図2、図3、および図4を参照して説明した、第1の基地局205、305、および405のうちの1つまたは複数の態様、および/または図6および/または図7を参照して説明した基地局として構成されるときの装置605のうちの1つまたは複数の態様の一例であり得る。基地局105-aは、図1〜図7を参照して説明した基地局および/または装置の特徴および機能のうちの少なくともいくつかを実装するかまたは容易にするように構成されてよい。
【００８３】
基地局105-aは、基地局プロセッサ810、基地局メモリ820、少なくとも1つの基地局トランシーバ(基地局トランシーバ850によって表される)、少なくとも1つの基地局アンテナ(基地局アンテナ855によって表される)、および/または発見マネージャ615-bを含み得る。基地局105-aはまた、基地局通信マネージャ830および/またはネットワーク通信マネージャ840の1つまたは複数を含み得る。これらのモジュールの各々は、1つまたは複数のバス835を通じて、互いに、直接または間接的に通信していてよい。
【００８４】
基地局メモリ820は、ランダムアクセスメモリ(RAM)および/または読取り専用メモリ(ROM)を含み得る。基地局メモリ820は、実行されると、基地局プロセッサ810に、(たとえば、ミリメートル波ワイヤレス通信システムにおいて発見動作を実行するためになど)ワイヤレス通信に関して本明細書で説明する様々な機能を実行させるように構成された命令を含む、コンピュータ可読のコンピュータ実行可能ソフトウェア/ファームウェアコード825を記憶することができる。代替的に、コンピュータ可読のコンピュータ実行可能ソフトウェア/ファームウェアコード825は、基地局プロセッサ810によって直接実行可能ではなくてもよいが、(たとえば、コンパイルされ実行されると)本明細書で説明する様々な機能を基地局105-aに実行させるように構成され得る。
【００８５】
基地局プロセッサ810は、インテリジェントハードウェアデバイス、たとえば、中央処理装置(CPU)、マイクロコントローラ、ASICなどを含み得る。基地局プロセッサ810は、基地局トランシーバ850、基地局通信マネージャ830、および/またはネットワーク通信マネージャ840を通じて受信された情報を処理することができる。基地局プロセッサ810はまた、アンテナ855を通じた送信のためにトランシーバ850へ、1つまたは複数の他の基地局105-bおよび105-cへの送信のために基地局通信マネージャ830へ、ならびに/またはコアネットワーク845への送信のためにネットワーク通信マネージャ840へ送られるべき情報を処理し得、コアネットワーク845は、図1を参照して説明したコアネットワーク130の1つまたは複数の態様の一例であり得る。基地局プロセッサ810は、単独で、または発見マネージャ615-bとともに、基地局105-aのための発見手順の種々の態様を取り扱うことができる。
【００８６】
基地局トランシーバ850は、パケットを変調し、送信のために変調されたパケットを基地局アンテナ855に提供し、かつ基地局アンテナ855から受信されたパケットを復調するように構成されたモデムを含み得る。いくつかの例では、基地局トランシーバ850は、1つまたは複数の基地局送信機モジュール、および1つまたは複数の別個の基地局受信機モジュールとして実装されてもよい。基地局トランシーバ850は、第1の無線周波数スペクトル帯域および/または第2の無線周波数スペクトル帯域内の通信をサポートし得る。基地局トランシーバ850は、図1〜図5を参照して説明したUE115のうちの1つまたは複数など、1つまたは複数のUEまたは装置と、アンテナ855を介して双方向に通信するように構成され得る。基地局105-aは、たとえば、複数の基地局アンテナ855(たとえば、アンテナアレイ)を含み得る。基地局105-aは、ネットワーク通信マネージャ840を通じてコアネットワーク845と通信することができる。基地局105-aはまた、基地局通信マネージャ830を使用して、基地局105-bおよび105-cなどの他の基地局と通信し得る。
【００８７】
発見マネージャ615-bは、基地局105-aに関する発見動作に関して、図1〜図7を参照して説明した特徴および/または機能のうちのいくつかまたはすべてを実行および/または制御するように構成され得る。いくつかの例では、発見マネージャ615-bは、第2のmmW基地局に関連付けられたタイミングパラメータおよび/または伝搬パラメータを決定して、第2のmmW基地局と発見手順を実行することができる。発見マネージャ615-b、またはその部分は、プロセッサを含むことができ、かつ/または発見マネージャ615-bの機能のいくつかまたは全部は、基地局プロセッサ810によって、かつ/または基地局プロセッサ810とともに実行されてよい。いくつかの例では、発見マネージャ615-bは、図6および/または図7を参照して説明した発見マネージャ615の一例であり得る。たとえば、発見マネージャ615-bは、それぞれ、図7を参照して説明した、リンクマネージャ710および発見手順マネージャ715の例であってよく、それらの機能を実行することができる、リンクマネージャ710-aおよび発見手順マネージャ715-aを含んでよい。
【００８８】
図9は、本開示の様々な態様による、ワイヤレス通信のための方法900の一例を示すフローチャートである。明快のために、方法900は、それぞれ、図1、図2、図3、図4、および図8を参照して説明した基地局105、205、305、405のうちの1つまたは複数の態様、および/または図6および図7を参照して説明した装置605のうちの1つまたは複数の態様に関して以下で説明する。いくつかの例では、基地局は、以下で説明する機能を実行するように、基地局の機能要素を制御するためにコードの1つまたは複数のセットを実行し得る。追加または代替として、基地局は、特殊目的のハードウェアを使用して以下で説明する機能のうちの1つまたは複数を実行し得る。
【００８９】
ブロック905において、方法900は、mmWワイヤレス通信システムの第1の基地局が、mmWワイヤレス通信システムの第2の基地局に関連付けられたタイミングパラメータおよび伝搬パラメータを決定するステップを含み得る。タイミングパラメータは、フレームタイミング属性、同期信号送信タイミング属性などを含み得る。伝搬パラメータは、第2の基地局との通信に関連付けられた、ビーム形成パラメータ、ビームシーケンスなどを含み得る。
【００９０】
ブロック910において、方法900は、第1の基地局が、タイミングパラメータおよび伝搬パラメータに少なくとも部分的に基づいて第2の基地局と発見手順を実行するステップを含み得る。いくつかの例では、発見手順の少なくとも一部分は、mmWワイヤレス通信システムを介してワイヤレスで実行され得る。発見手順は、第1の基地局が、第2の基地局との通信に関連付けられた追加の通信パラメータ、たとえば、MCSパラメータ、基地局能力パラメータなどを決定するステップを含み得る。
【００９１】
ブロック905、および/または910における動作は、図6〜図8を参照して説明した発見マネージャ615を使用して実行することができる。
【００９２】
このようにして、方法900はワイヤレス通信を提供し得る。方法900は一実装形態にすぎないこと、および、方法900の動作は他の実装形態が可能であるように並べ替えられるか、または別様に修正され得ることに留意されたい。
【００９３】
図10は、本開示の様々な態様による、ワイヤレス通信のための方法1000の一例を示すフローチャートである。明快のために、方法1000は、それぞれ、図1、図2、図3、図4、および図8を参照して説明した基地局105、205、305、405のうちの1つまたは複数の態様、および/または図6および図7を参照して説明した装置605のうちの1つまたは複数の態様に関して以下で説明する。いくつかの例では、基地局は、以下で説明する機能を実行するように、基地局の機能要素を制御するためにコードの1つまたは複数のセットを実行し得る。追加または代替として、基地局は、特殊目的のハードウェアを使用して以下で説明する機能のうちの1つまたは複数を実行し得る。
【００９４】
ブロック1005において、方法1000は、mmWワイヤレス通信システムの第1の基地局が、mmWワイヤレス通信システムの第2の基地局に関連付けられたタイミングパラメータおよび伝搬パラメータを決定するステップを含み得る。タイミングパラメータは、フレームタイミング属性、同期信号送信タイミング属性などを含み得る。伝搬パラメータは、第2の基地局との通信に関連付けられた、ビーム形成パラメータ、ビームシーケンスなどを含み得る。
【００９５】
ブロック1010において、方法1000は、第1の基地局が、タイミングパラメータおよび伝搬パラメータに少なくとも部分的に基づいて第2の基地局と発見手順を実行するステップを含み得る。いくつかの例では、発見手順の少なくとも一部分は、mmWワイヤレス通信システムを介してワイヤレスで実行され得る。発見手順は、第1の基地局が、第2の基地局との通信に関連付けられた追加の通信パラメータ、たとえば、MCSパラメータ、基地局能力パラメータなどを決定するステップを含み得る。
【００９６】
ブロック1015において、この方法1000は、第1の基地局が、発見手順に少なくとも部分的に基づいて第2の基地局とのバックホール通信リンクを確立するステップを含み得る。たとえば、発見手順は、mmWワイヤレス通信システムを介してバックホール通信リンクを確立するための追加の通信パラメータを提供することができる。第1の基地局は、バックホール通信リンクを介して第2の基地局と様々な協調機能を実行することができる。
【００９７】
ブロック1005、1010、および/または1015における動作は、図6〜図8を参照して説明した発見マネージャ615を使用して実行することができる。
【００９８】
このようにして、方法1000はワイヤレス通信を提供し得る。方法1000は一実装形態にすぎないこと、および、方法1000の動作は他の実装形態が可能であるように並べ替えられるか、または別様に修正され得ることに留意されたい。
【００９９】
図11は、本開示の様々な態様による、ワイヤレス通信のための方法1100の一例を示すフローチャートである。明快のために、方法1100は、それぞれ、図1、図2、図3、図4、および図8を参照して説明した基地局105、205、305、405のうちの1つまたは複数の態様、および/または図6および図7を参照して説明した装置605のうちの1つまたは複数の態様に関して以下で説明する。いくつかの例では、基地局は、以下で説明する機能を実行するように、基地局の機能要素を制御するためにコードの1つまたは複数のセットを実行し得る。追加または代替として、基地局は、特殊目的のハードウェアを使用して以下で説明する機能のうちの1つまたは複数を実行し得る。
【０１００】
ブロック1105において、方法1100は、mmWワイヤレス通信システムの第1の基地局が、mmWワイヤレス通信システムの第2の基地局と接続中のリンクを識別するステップを含み得る。いくつかの例では、リンクは、ネットワークエンティティ、mmWワイヤレス通信システムの第3の基地局、第1の基地局および第2の基地局と通信中の1つまたは複数のUE、またはそれらの組合せに対する有線リンクおよび/またはワイヤレスリンクを含み得る。
【０１０１】
ブロック1110において、方法1100は、第1の基地局が、第2の基地局に関連付けられたタイミングパラメータおよび伝搬パラメータを決定するステップを含み得る。第1の基地局は、たとえば、リンクと交換された、またはリンクを通じて経路指定された1つまたは複数のメッセージを介して、識別されたリンクに基づいて、タイミングパラメータおよび伝搬パラメータを決定することができる。
【０１０２】
ブロック1115において、方法1100は、第1の基地局が、タイミングパラメータおよび伝搬パラメータに少なくとも部分的に基づいて第2の基地局と発見手順を実行するステップを含み得る。いくつかの例では、発見手順の少なくとも一部分は、mmWワイヤレス通信システムを介してワイヤレスで実行され得る。発見手順は、第1の基地局が、第2の基地局との通信に関連付けられた追加の通信パラメータ、たとえば、MCSパラメータ、基地局能力パラメータなどを決定するステップを含み得る。
【０１０３】
ブロック1105、1110、および/または1115における動作は、図6〜図8を参照して説明した発見マネージャ615を使用して実行することができる。
【０１０４】
このようにして、方法1100はワイヤレス通信を提供し得る。方法1100は一実装形態にすぎないこと、および、方法1100の動作は他の実装形態が可能であるように並べ替えられるか、または別様に修正され得ることに留意されたい。
【０１０５】
いくつかの例では、方法900、1000、1100のうちの2つ以上からの態様が、組み合わされてよい。方法900、1000などは単なる例示的実装形態であること、および方法900〜1100の動作は、他の実装形態が可能となるように再構成され、あるいは修正され得ることに留意されたい。
【０１０６】
本明細書で説明する技法は、CDMA、TDMA、FDMA、OFDMA、SC-FDMA、および他のシステムなどの種々のワイヤレス通信システムのために使用することができる。「システム」と「ネットワーク」という用語は、しばしば互換的に使用される。CDMAシステムは、CDMA2000、ユニバーサル地上無線アクセス(UTRA:Universal Terrestrial Radio Access)などの無線技術を実装し得る。CDMA2000は、IS-2000、IS-95およびIS-856規格を対象とする。IS-2000リリース0およびAは、一般に、CDMA2000 1X、1Xなどと呼ばれる。IS-856(TIA-856)は、一般に、CDMA2000 1xEV-DO、高速パケットデータ(HRPD)などと呼ばれる。UTRAは、Wideband CDMA(WCDMA(登録商標))およびCDMAの他の変形態を含む。TDMAシステムは、モバイル通信用グローバルシステム(GSM(登録商標):Global System for Mobile Communications)のような無線技術を実現することができる。OFDMAシステムは、ウルトラモバイルブロードバンド(UMB)、発展型UTRA(E-UTRA)、IEEE 802.11(WiFi)、IEEE 802.16(WiMAX)、IEEE 802.20、Flash-OFDM(商標)などの無線技術を実現することができる。UTRAおよびE-UTRAは、ユニバーサルモバイル通信システム(UMTS)の一部である。3GPPロングタームエボリューション(LTE)およびLTE-アドバンスト(LTE-A)は、E-UTRAを使用するUMTSの新しいリリースである。UTRA、E-UTRA、UMTS、LTE、LTE-A、およびGSM(登録商標)は、「第3世代パートナーシッププロジェクト」(3GPP)という名称の組織からの文書に記載されている。CDMA2000およびUMBは、「第3世代パートナーシッププロジェクト2」(3GPP2)という名称の組織からの文書に記載されている。本明細書において説明する技法は、上述のシステムおよび無線技術、ならびに免許不要帯域幅および/または共有帯域幅を介してのセルラー(たとえば、LTE)通信を含む、他のシステムおよび無線技術において使用することができる。しかしながら、これまでの説明は、例としてLTE/LTE-Aシステムを説明し、これまでの説明の大部分においてLTE用語が使用されるが、本技法はLTE/LTE-A適用例以外に適用可能である。
【０１０７】
添付の図面に関して上記に記載された詳細な説明は、例を説明しており、実現される場合がある例、または特許請求の範囲内にある例のみを表すものではない。この説明において使用される「例」および「例示的」という用語は、「例、事例、または例示として機能すること」を意味し、「好ましい」または「他の例よりも有利である」ことを意味しない。詳細な説明は、説明された技法の理解を与える目的で、具体的な詳細を含む。しかしながら、これらの技法は、これらの具体的な詳細を伴うことなく実践される場合がある。場合によっては、説明する例の概念を不明瞭にすることを避けるために、よく知られている構造および装置がブロック図の形で示されている。
【０１０８】
情報および信号は、様々な異なる技術および技法のうちのいずれかを使用して表され得る。たとえば、上記の説明全体にわたって参照される場合があるデータ、命令、コマンド、情報、信号、ビット、シンボル、およびチップは、電圧、電流、電磁波、磁場もしくは磁性粒子、光場もしくは光学粒子、またはそれらの任意の組合せによって表される場合がある。
【０１０９】
本明細書の開示に関連して説明する様々な例示的なブロックおよび構成要素は、本明細書に記載の機能を実行するように設計された汎用プロセッサ、デジタル信号プロセッサ(DSP)、ASIC、FPGAまたは他のプログラマブル論理デバイス、ディスクリートゲートまたはトランジスタロジック、ディスクリートハードウェア構成要素、あるいはそれらの任意の組合せで実装または実行され得る。汎用プロセッサはマイクロプロセッサであってもよいが、代替として、プロセッサは任意の従来のプロセッサ、コントローラ、マイクロコントローラ、または状態機械であってもよい。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、あるいは他の任意のそのような構成として実装され得る。
【０１１０】
本明細書で説明する機能は、ハードウェア、プロセッサによって実行されるソフトウェア、ファームウェア、またはそれらの任意の組合せで実装され得る。プロセッサによって実行されるソフトウェアに実装される場合、機能は、1つまたは複数の命令あるいはコードとしてコンピュータ可読媒体上に記憶されるか、またはコンピュータ可読媒体を介して送信される場合がある。他の例および実装形態も、本開示および添付の特許請求の範囲の範囲および趣旨に含まれる。たとえば、ソフトウェアの性質に起因して、上で説明された機能は、プロセッサによって実行されるソフトウェア、ハードウェア、ファームウェア、ハードワイヤリング、またはこれらのいずれかの組合せを使用して実装され得る。機能を実装する特徴はまた、機能の部分が異なる物理的位置において実装されるように分散されることを含め、様々な位置に物理的に位置し得る。特許請求の範囲を含む本明細書で使用されるように、「および/または」という用語は、2つ以上の項目のリストにおいて使用される場合、列挙された項目のうちのいずれか1つが単独で使用されてもよく、または列挙された項目のうちの2つ以上の任意の組合せが使用されてもよいことを意味する。たとえば、組成物が構成要素A、B、および/またはCを含むものとして記載されている場合、組成物は、Aのみ、Bのみ、Cのみ、AとBとの組合せ、AとCとの組合せ、BとCとの組合せ、あるいはAとBとCとの組合せを含み得る。また、特許請求の範囲を含む本明細書で使用されるように、項目のリスト(たとえば、「〜のうちの少なくとも1つ」あるいは「〜のうちの1つまたは複数」などの語句によって始められる項目のリスト)において使用される「または」は選言リストを示し、たとえば、「A、B、またはCのうちの少なくとも1つ」のリストは、A、またはB、またはC、またはAB、またはAC、またはBC、またはABC(すなわち、AおよびBおよびC)を意味する。
【０１１１】
コンピュータ可読媒体は、コンピュータ記憶媒体と、コンピュータプログラムのある場所から別の場所への転送を容易にする任意の媒体を含む通信媒体の両方を含む。ストレージ媒体は、汎用コンピュータまたは専用コンピュータによってアクセス可能な任意の利用可能な媒体であり得る。限定ではなく例として、コンピュータ可読媒体は、RAM、ROM、EEPROM、フラッシュメモリ、CD-ROMまたは他の光ディスクストレージ、磁気ディスクストレージまたは他の磁気ストレージデバイス、あるいは所望のプログラムコード手段を命令またはデータ構造の形式で搬送または記憶するために使用され得、汎用コンピュータまたは専用コンピュータ、あるいは汎用プロセッサまたは専用プロセッサによってアクセスされ得る他の任意の媒体を備えることができる。また、任意の接続は、適切にコンピュータ可読媒体と呼ばれる。たとえば、ソフトウェアが、同軸ケーブル、光ファイバーケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用されるディスク(disk)およびディスク(disc)は、コンパクトディスク(disc)(CD)、レーザーディスク(登録商標)(disc)、光ディスク(disc)、デジタル多用途ディスク(disc)(DVD)、フロッピーディスク(disk)およびBlue-rayディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれる。
【０１１２】
本開示の先の説明は、当業者が本開示を作成または使用することを可能にするために与えられる。本開示に対する様々な修正が当業者には容易に明らかとなり、本明細書で定義される一般原理は、本開示の範囲から逸脱することなく他の変形形態に適用され得る。したがって、本開示は、本明細書で説明した例および設計に限定されるべきではなく、本明細書で開示される原理および新規な特徴に一致する最も広い範囲が与えられるべきである。
【符号の説明】
【０１１３】
100  ワイヤレス通信システム、システム
105  基地局
110  地理的カバレッジエリア
115  UE
125  通信リンク
130  コアネットワーク
132  バックホールリンク
134  バックホールリンク
200  スイム図、図
205  第1のミリメートル波(mmW)基地局
210  第2のmmW基地局
225  発見手順
300  スイム図、図
305  第1のmmW基地局
310  ネットワークエンティティ
315  第2のmmW基地局
330  パラメータ
340  発見手順
400  スイム図、図
405  第1のミリメートル波(mmW)基地局
410  UE
415  第2のmmW基地局
430  メッセージ
435  メッセージ
440  応答
445  中継
460  発見手順
500  図
505  アクセス期間
505-e  アクセス期間
510  同期期間
510-a  同期期間
520  同期期間
520-a  同期期間
600  ブロック図
605  装置
605-a  装置
610  受信機
610-a  受信機
615  発見マネージャ
615-a  発見マネージャ
615-b  発見マネージャ
620  送信機
620-a  送信機
700  ブロック
705  タイミングおよび伝搬マネージャ
710  リンクマネージャ
715  発見手順マネージャ
800  ブロック図
810  基地局プロセッサ
820  基地局メモリ
825  コンピュータ可読のコンピュータ実行可能ソフトウェア/ファームウェアコード
830  基地局通信マネージャ
835  バス
840  ネットワーク通信マネージャ
845  コアネットワーク
850  基地局トランシーバ
855  基地局アンテナ
900  方法
1000  方法
1100  方法
【図１】
0006695893.tif 000002
【図２】
0006695893.tif 000003
【図３】
0006695893.tif 000004
【図４】
0006695893.tif 000005
【図５】
0006695893.tif 000006
【図６】
0006695893.tif 000007
【図７】
0006695893.tif 000008
【図８】
0006695893.tif 000009
【図９】
0006695893.tif 000010
【図１０】
0006695893.tif 000011
【図１１】
0006695893.tif 000012